(57)【特許請求の範囲】
【請求項１】
トラフィックに係る情報に基づいて、負荷の大きいセルを特定する特定部と、
移動局及び基地局として動作可能な１つ以上の無線通信装置の各々について、無線通信装置によるセルについての測定の結果を示す測定情報、又は無線通信装置の位置に関する位置関連情報を取得する取得部と、
前記特定部が特定したセル内の前記１つ以上の無線通信装置の各々についての前記測定情報又は前記位置関連情報に基づいて、前記１つ以上の無線通信装置のうちの、基地局として動作させる無線通信装置を選択する選択部と、
を備える装置。
【請求項２】
前記１つ以上の無線通信装置は、アイドル状態の無線通信装置である、請求項１に記載の装置。
【請求項３】
前記１つ以上の無線通信装置への要求であって、前記測定情報又は前記位置関連情報の報告の前記要求を制御する第１制御部、をさらに備える、請求項１に記載の装置。
【請求項４】
前記要求は、マルチキャスト又はブロードキャストによる要求である、請求項３に記載の装置。
【請求項５】
前記第１制御部は、前記１つ以上の無線通信装置を含む無線通信装置への要求であって、前記測定情報又は前記位置関連情報の報告の前記要求を制御し、
前記報告は、報告条件を満たす無線通信装置により行われる報告であり、
前記１つ以上無線通信装置は、前記報告条件を満たす無線通信装置である、
請求項３に記載の装置。
【請求項６】
前記１つ以上の無線通信装置、又は、選択される前記無線通信装置は、モビリティが低い無線通信装置である、請求項１に記載の装置。
【請求項７】
選択された前記無線通信装置を基地局として動作させるための制御を行う第２制御部、をさらに備える、請求項１に記載の装置。
【請求項８】
前記制御は、選択された前記無線通信装置に対する基地局としての動作の要求を制御することを含む、請求項７に記載の装置。
【請求項９】
前記制御は、選択された前記無線通信装置と移動局との間の無線通信のための制御情報を提供することを含む、請求項７に記載の装置。
【請求項１０】
前記制御情報は、前記無線通信に使用可能な周波数帯域を示す情報を含む、請求項９に記載の装置。
【請求項１１】
前記制御情報は、前記無線通信のための最大送信電力を示す情報を含む、請求項９に記載の装置。
【請求項１２】
前記制御は、選択された前記無線通信装置と基地局との間の無線バックホールのための制御情報を提供することを含む、請求項７に記載の装置。
【請求項１３】
前記制御情報は、前記基地局を示す情報を含む、請求項１２に記載の装置。
【請求項１４】
前記制御情報は、前記無線バックホールのために使用可能な周波数帯域を示す情報を含む、請求項１２に記載の装置。
【請求項１５】
前記制御は、選択された前記無線通信装置が接続すべきコアネットワークノードに関する情報を提供することを含む、請求項７に記載の装置。
【請求項１６】
前記第２制御部は、選択された前記無線通信装置に基地局としての動作を停止させるための制御を行う、請求項７に記載の装置。
【請求項１７】
選択された前記無線通信装置のセルを近隣セルリスト内に追加するように、選択された前記無線通信装置の周辺の基地局に要求する第２制御部、をさらに備える、請求項１に記載の装置。
【請求項１８】
前記１つ以上の無線通信装置は、１つ以上の基地局の中から選択された基地局の通信エリア内に位置する無線通信装置であり、
前記セルは、選択された前記基地局のセルを含む、
請求項１に記載の装置。
【請求項１９】
前記１つ以上の基地局の中から選択された前記基地局は、前記１つ以上の基地局の各々のトラフィックに関する情報に基づいて選択された基地局である、請求項１８に記載の装置。
【請求項２０】
トラフィックに係る情報に基づいて、負荷の大きいセルを特定することと、
前記特定したセル内の移動局及び基地局として動作可能な１つ以上の無線通信装置の各々について、無線通信装置によるセルについての測定の結果を示す測定情報、又は無線通信装置の位置に関する位置関連情報を取得することと、
プロセッサにより、前記１つ以上の無線通信装置の各々についての前記測定情報又は前記位置関連情報に基づいて、前記１つ以上の無線通信装置のうちの、基地局として動作させる無線通信装置を選択することと、
を含む方法。
【発明の詳細な説明】
【技術分野】
【０００１】
本開示は、装置及び方法に関する。
【背景技術】
【０００２】
２００２年より、日本で第３世代と呼ばれる３Ｇ方式の携帯電話サービスが開始された。当初は、音声通話及びメールの送信などのために小さいサイズのパケットが送受信されていた。しかし、ＨＳＤＰＡ（High  Speed  Downlink  Packet  Access）の導入により、音楽ファイルのダウンロード及び動画のストリーミングなどのために、より大きいサイズのパケットが送受信されるようになった。このようなパケット容量の増加に伴い、無線ネットワーク側の拡張のために、ダウンリンクにＯＦＤＭＡ（Orthogonal  Frequency  Division  Multiple  Access）を使用するＬＴＥ（Long  Term  Evolution）のサービスも開始された。さらに、２０１５年頃には、４Ｇサービスの開始が予定されている。これにより、準固定で最大１Ｇｂｐｓ（bit  per  second）が実現され、移動環境でも最大１００Ｍｂｐｓが実現され得る。【０００３】
上述したようなトラフィックの増加に伴い、安価で且つ設置が容易なスモール基地局を配置することにより、トラフィックの集中を回避することが期待されている。このようなスモールセルに関連する様々な技術が提案されている。【０００４】
例えば、特許文献１には、１つ以上の端末装置から送信される無線信号について測定される品質に基づいて、移動局のためにアクセスポイントとして動作する装置を選択する技術が、開示されている。
【先行技術文献】
【特許文献】
【０００５】
【特許文献１】国際公開第２０１４／０３４２５５号公報
【発明の概要】
【発明が解決しようとする課題】
【０００６】
しかし、上記特許文献１に開示されている技術では、移動局にとって望ましい端末装置を基地局（アクセスポイント）として動作させることが可能であるが、トラフィックのオフロードのために望ましい端末装置を基地局として動作させることが必ずしもできるわけではない。一例として、上記特許文献１に開示されている技術では、セル（例えば、マクロセル）のエッジに位置する端末装置を基地局として動作させることが必ずしもできるわけではない。そのため、例えば、セルにおけるトラフィックのオフロードを柔軟に行うことができない。【０００７】
そこで、セルにおけるトラフィクのオフロードを柔軟に行うことを可能にする仕組みが提供されることが望ましい。
【課題を解決するための手段】
【０００８】
本開示によれば、移動局及び基地局として動作可能な１つ以上の無線通信装置の各々について、無線通信装置によるセルについての測定の結果を示す測定情報、又は無線通信装置の位置に関する位置関連情報を取得する取得部と、上記１つ以上の無線通信装置の各々についての上記測定情報又は上記位置関連情報に基づいて、上記１つ以上の無線通信装置のうちの、基地局として動作させる無線通信装置を選択する選択部と、を備える装置が提供される。【０００９】
また、本開示によれば、移動局及び基地局として動作可能な１つ以上の無線通信装置の各々について、無線通信装置によるセルについての測定の結果を示す測定情報、又は無線通信装置の位置に関する位置関連情報を取得することと、プロセッサにより、上記１つ以上の無線通信装置の各々についての上記測定情報又は上記位置関連情報に基づいて、上記１つ以上の無線通信装置のうちの、基地局として動作させる無線通信装置を選択することと、を含む方法が提供される。
【発明の効果】
【００１０】
以上説明したように本開示によれば、セルにおけるトラフィクのオフロードを柔軟に行うことが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１１】
【図１】第１の実施形態に係る通信システムの概略的な構成の一例を示す説明図である。
【図２】第１の実施形態に係る制御エンティティの構成の一例を示すブロック図である。
【図３】報告の要求の対象である１つ以上の無線通信装置の例を説明するための説明図である。
【図４】基地局として動作する無線通信装置の例を説明するための説明図である。
【図５】第１の実施形態に係る処理の概略的な流れの一例を示すフローチャートである。
【図６】第２の実施形態に係る通信システムの概略的な構成の一例を示す説明図である。
【図７】第２の実施形態に係る基地局の構成の一例を示すブロック図である。
【図８】第２の実施形態に係る処理の概略的な流れの一例を示すフローチャートである。
【図９】サーバの概略的な構成の一例を示すブロック図である。
【図１０】ｅＮＢの概略的な構成の第１の例を示すブロック図である。
【図１１】ｅＮＢの概略的な構成の第２の例を示すブロック図である。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて無線通信装置３０Ａ、３０Ｂ及び３０Ｃのように区別する。ただし、実質的に同一の機能構成を有する複数の要素の各々を特に区別する必要がない場合、同一符号のみを付する。例えば、無線通信装置３０Ａ、３０Ｂ及び３０Ｃを特に区別する必要が無い場合には、単に無線通信装置３０と称する。
【００１４】
なお、説明は以下の順序で行うものとする。
１．第１の実施形態
１．１．通信システムの構成
１．２．制御エンティティの構成
１．３．無線通信装置を基地局として動作させるための制御
１．４．処理の流れ
１．５．変形例
２．第２の実施形態
２．１．通信システムの構成
２．２．制御エンティティの構成
２．３．無線通信装置を基地局として動作させるための制御
２．４．処理の流れ
２．５．変形例
３．応用例
３．１．制御エンティティに関する応用例
３．２．基地局に関する応用例
４．まとめ
【００１５】
＜＜１．第１の実施形態＞＞
まず、本開示の第１の実施形態を説明する。
【００１６】
＜１．１．通信システムの構成＞
図１を参照して、第１の実施形態に係る通信システム１の概略的な構成を説明する。図１は、第１の実施形態に係る通信システム１の概略的な構成の一例を示す説明図である。図１を参照すると、通信システム１は、基地局２０、無線通信装置３０及び制御エンティティ１００を含む。
【００１７】
（基地局２０）
基地局２０は、無線通信装置３０との無線通信を行う。例えば、基地局２０は、基地局２０の通信エリアであるセル２１内に位置する無線通信装置３０との無線通信を行う。具体的には、例えば、基地局２０Ａは、セル２１Ａ内に位置する無線通信装置３０との無線通信を行い、基地局２０Ｂは、セル２１Ｂ内に位置する無線通信装置３０との無線通信を行う。例えば、セル２１は、マクロセルであり、基地局２０は、マクロセルの基地局である。あるいは、セル２１は、スモールセルであってもよく、基地局２０は、スモールセルの基地局であってもよい。
【００１８】
（無線通信装置３０）
無線通信装置３０は、移動局及び基地局として動作可能である。
【００１９】
例えば、無線通信装置３０は、移動局として動作する。例えば、無線通信装置３０は、基地局２０との無線通信を行う。より具体的には、例えば、無線通信装置３０は、基地局２０Ａのセル２１Ａ内に位置する場合に基地局２０Ａとの無線通信を行い、基地局２０Ｂのセル２１Ｂ内に位置する場合に基地局２０Ｂとの無線通信を行う。
【００２０】
例えば、無線通信装置３０は、基地局として動作する。例えば、無線通信装置３０は、他の無線通信装置（例えば、他の無線通信装置３０）との無線通信を行う。より具体的には、例えば、無線通信装置３０は、無線通信装置３０の通信エリア内に位置する他の無線通信装置との無線通信を行う。
【００２１】
（制御エンティティ１００）
制御エンティティ１００は、基地局として動作させる無線通信装置３０を選択する。とりわけ、制御エンティティ１００は、１つ以上の無線通信装置３０によるセルについての測定の結果を示す測定情報、又は、１つ以上の無線通信装置３０の位置に関する位置関連情報に基づいて、基地局として動作させる無線通信装置３０を選択する。
【００２２】
また、例えば、制御エンティティ１００は、選択される無線通信装置３０を基地局として動作させるための制御を行う。
【００２３】
一例として、制御エンティティ１００は、コアネットワークノードである。当該コアネットワークノードは、既存のコアネットワークノード（例えば、ＭＭＥ（Mobility  Management  Entity）、Ｓ−ＧＷ（Serving  Gateway）又はＰ−ＧＷ（PDN(Packet  Data  Network)  Gateway））であってもよく、又は新規のコアネットワークノードであってもよい。あるいは、制御エンティティ１００は、コアネットワークノード以外のノードであってもよい。
【００２４】
以上、第１の実施形態に係る通信システム１を説明した。なお、通信システム１は、２つの基地局２０（即ち、基地局２０Ａ及び基地局２０Ｂ）を含む代わりに、１つの基地局２０のみを含んでもよく、又は、３つ以上の基地局２０を含んでもよい。また、通信システム１は、移動局及び基地局として動作可能な無線通信装置３０のみではなく、移動局としてのみ動作可能な無線通信装置をさらに含んでもよい。
【００２５】
＜１．２．制御エンティティの構成＞
図２〜図４を参照して、第１の実施形態に係る制御エンティティ１００の構成の一例を説明する。図２は、第１の実施形態に係る制御エンティティ１００の構成の一例を示すブロック図である。図２を参照すると、制御エンティティ１００は、通信部１１０、記憶部１２０及び処理部１３０を備える。
【００２６】
（通信部１１０）
通信部１１０は、情報を送受信する。例えば、通信部１１０は、他のノードへの情報を送信し、他のノードからの情報を受信する。例えば、上記他のノードは、基地局２０を含む。また、例えば、上記他のノードは、コアネットワークノードを含む。
【００２７】
（記憶部１２０）
記憶部１２０は、制御エンティティ１００の動作のためのプログラム及びデータを一時的に又は恒久的に記憶する。
【００２８】
（処理部１３０）
処理部１３０は、制御エンティティ１００の様々な機能を提供する。処理部１３０は、第１取得部１３１、第１選択部１３２、第１制御部１３３、第２取得部１３５、第２選択部１３６及び第２制御部１３７を含む。なお、処理部１３０は、これらの構成要素以外の他の構成要素をさらに含み得る。即ち、処理部１３０は、これらの構成要素の動作以外の動作も行い得る。
【００２９】
（第１取得部１３１）
第１取得部１３１は、基地局２０に関する情報（以下、「基地局関連情報」と呼ぶ）を取得する。例えば、第１取得部１３１は、１つ以上の基地局２０の各々の基地局関連情報（即ち、１つ以上の基地局２０の各々に関する情報）を取得する。
【００３０】
（ａ）トラフィック情報
例えば、上記基地局関連情報は、基地局２０のトラフィックに関する情報（以下、「トラフィック情報」と呼ぶ）である。例えば、第１取得部１３１は、１つ以上の基地局２０の各々のトラフィック情報（即ち、１つ以上の基地局２０の各々のトラフィックに関する情報）を取得する。
【００３１】
（ａ−１）トラフィック情報の例
例えば、上記トラフィックは、基地局２０により既に処理されたトラフィックである。あるいは、上記トラフィックは、基地局２０により今後処理されると想定されるトラフィックであってもよい。
【００３２】
一例として、上記トラフィック情報は、基地局２０が既に処理したトラフィックの量（例えば、総量又は平均値など）を示す情報である。別の例として、基地局２０により既に処理されたトラフィックの量の履歴を示す情報であってもよい。また、上記トラフィック情報は、基地局２０により既に処理された、若しくは、今後処理されると想定される制御情報の数に係る情報であってもよい。
【００３３】
（ａ−２）取得の手法
−第１の例
第１の例として、上記トラフィック情報は、基地局２０により制御エンティティ１００に提供される。例えば、基地局２０は、制御エンティティ１００による要求に応じて、又は、自主的に、上記トラフィック情報を制御エンティティ１００に提供する。
【００３４】
例えば、基地局２０は、上記トラフィック情報を制御エンティティ１００に提供し、当該トラフィック情報は、記憶部１２０に記憶される。その後のいずれかのタイミングで、第１取得部１３１は、記憶部１２０から、当該トラフィック情報を取得する。
【００３５】
−第２の例
第２の例として、上記トラフィック情報は、制御エンティティ１００（処理部１３０）により生成されてもよい。
【００３６】
処理部１３０は、基地局２０についての通信品質を示す情報（以下、「通信品質情報」と呼ぶ）に基づいて、上記トラフィック情報を生成してもよい。当該通信品質情報は、無線通信装置３０（又は基地局２０）により制御エンティティ１００に提供されてもよい。当該無線通信装置３０は、接続状態の無線通信装置３０、及びアイドル状態の無線通信装置３０の一方又は両方を含んでもよい。アイドル状態の無線通信装置３０は、上記通信品質情報の提供のために、一時的に接続状態になってもよい。
【００３７】
上記通信品質情報は、ＲＳＲＱ（Reference  Signal  Received  Quality）を示す情報を含んでもよい。あるいは、上記通信品質情報は、Ｅｃ／Ｎｏ（Received  Energy  Per  Chip  divided  by  the  Power  Density  in  Band）を示す情報、又はＥｃ／Ｉｏ（Energy  per  Chip  over  Interference）を示す情報などを含んでもよい。
【００３８】
一例として、上記通信品質情報は、ＲＳＲＱを示す情報を含み、処理部１３０は、ＲＳＲＱに基づいて、上記トラフィック情報を生成してもよい。ＲＳＲＱは、ＲＳＲＰ（Reference  Signal  Received  Power）／（ＲＳＳＩ（Reference  Signal  Strength  Indicator）／Ｎ）で表される。トラフィックの量が多くなると、周波数帯域にわたる送信電力が増加し、ＲＳＳＩが大きくなる。即ち、ＲＳＲＱが小さければ、ＲＳＲＰに対するＲＳＳＩの比が大きく、よって、トラフィックの量が多いと推定され得る。また、ＲＳＲＱが大きければ、ＲＳＲＰに対するＲＳＳＩの比が小さく、よって、トラフィックの量が少ないと推定され得る。よって、例えば、処理部１３０は、ＲＳＲＱが小さければ、トラフィックの量が多いことを示す情報を、トラフィック情報として生成してもよく、ＲＳＲＱが大きければ、トラフィックの量が少ないことを示す情報を、トラフィック情報として生成してもよい。なお、複数の無線通信装置３０により上記通信品質情報が提供される場合には、ＲＳＲＱの平均値が算出され、当該平均値に基づいて上記トラフィック情報が生成されてもよい。
【００３９】
なお、上記通信品質情報は、ＲＳＳＮＲ（Reference  Signal  Signal  to  Noise  Ratio）、ＳＩＮＲ（Signal  to  Interference  and  Noise  Ratio）及び／又はＣＱＩ（Channel  Quality  Indicator）などを示す情報をさらに含んでもよい。このような情報の活用により、より正確にトラフィックの量が推定され得る。
【００４０】
上記トラフィック情報から、負荷が大きい基地局２０を知ることが可能になる。
【００４１】
（ｂ）第２の例：接続装置情報
上記基地局関連情報は、基地局２０に接続される無線通信装置に関する情報（以下、「接続装置情報」と呼ぶ）であってもよい。例えば、第１取得部１３１は、１つ以上の基地局２０の各々の接続装置情報（即ち、１つ以上の基地局２０の各々に接続される無線通信装置に関する情報）を取得してもよい。
【００４２】
（ｂ−１）接続装置情報の例
例えば、上記接続装置情報は、基地局２０に接続される無線通信装置の数（以下、「接続数」と呼ぶ）を示す情報である。当該無線通信装置は、移動局及び基地局として動作可能な無線通信装置３０であってもよく、又は、無線通信装置３０及び他の無線通信装置（移動局としてのみ動作可能な無線通信装置）を含んでもよい。
【００４３】
なお、上記接続数は、基地局２０のセル２１のエッジに位置する無線通信装置（例えば、基地局２０により送信されるリファレンス信号（Reference  Signal：ＲＳ）の受信電力（例えば、ＲＳＲＰ（Reference  Signal  Received  Power））が閾値未満である無線通信装置）の数であってもよい。あるいは、上記接続装置情報は、基地局２０に接続される無線通信装置の中の、基地局２０のセル２１のエッジに位置する無線通信装置（例えば、基地局２０により送信されるＲＳの受信電力（例えば、ＲＳＲＰ）が閾値未満である無線通信装置）の割合（以下、「接続割合」と呼ぶ）を示す情報であってもよい。これにより、例えば、リンクアダプテーションの効果を得にくい基地局２０を知ることが可能になる。なお、上記閾値は動的に更新されてもよい。
【００４４】
（ｂ−２）取得の手法
−第１の例
第１の例として、上記接続装置情報は、基地局２０により制御エンティティ１００に提供される。例えば、基地局２０は、制御エンティティ１００による要求に応じて、又は、自主的に、上記接続装置情報を制御エンティティ１００に提供する。
【００４５】
例えば、基地局２０は、上記接続装置情報を制御エンティティ１００に提供し、当該接続装置情報は、記憶部１２０に記憶される。その後のいずれかのタイミングで、第１取得部１３１は、記憶部１２０から、当該接続装置情報を取得する。
【００４６】
−第２の例
第２の例として、上記接続装置情報は、制御エンティティ１００（処理部１３０）により生成されてもよい。例えば、処理部１３０は、基地局２０により提供される情報に基づいて、上記接続装置情報を生成してもよい。
【００４７】
上記接続装置情報から、負荷が大きい基地局２０を知ることが可能になる。
【００４８】
（第１選択部１３２）
第１選択部１３２は、１つ以上の基地局２０の中から基地局２０を選択する。例えば、第１選択部１３２は、上記１つ以上の基地局２０の各々の基地局関連情報に基づいて、上記１つ以上の基地局２０の中から基地局２０を選択する。なお、第１選択部１３２は、１つの基地局２０を選択してもよく、又は２つ以上の基地局２０を選択してもよい。
【００４９】
（ａ）トラフィック情報に基づく選択
上述したように、上記基地局関連情報は、例えば、上記トラフィック情報である。即ち、第１選択部１３２は、上記１つ以上の基地局２０の各々のトラフィック情報（即ち、上記１つ以上の基地局２０の各々のトラフィックに関する情報）に基づいて、上記１つ以上の基地局２０の中から基地局２０を選択する。
【００５０】
一例として、第１選択部１３２は、上記１つ以上の基地局２０のうちの、トラフィックの量が相対的に大きい基地局２０を選択する。図１を再び参照すると、例えば、基地局２０Ａのトラフィックの量は、基地局２０Ｂのトラフィックの量よりも多い。この場合に、例えば、第１選択部１３２は、基地局２０Ａ及び基地局２０Ｂのうちの基地局２０Ａを選択し、基地局２０Ｂを選択しない。
【００５１】
別の例として、第１選択部１３２は、上記１つ以上の基地局２０のうちの、トラフィックの量が所定量よりも多い基地局２０を選択してもよい。図１を再び参照すると、例えば、基地局２０Ａのトラフィックの量は、所定量よりも多く、基地局２０Ｂのトラフィックの量は、所定量よりも少なくてもよい。この場合に、第１選択部１３２は、基地局２０Ａ及び基地局２０Ｂのうちの基地局２０Ａを選択してもよく、基地局２０Ｂを選択しなくてもよい。なお、上記所定量は動的に更新されてもよい。
【００５２】
これにより、例えば、トラフィック量が多い基地局２０（即ち、負荷が大きい基地局２０）を選択することが可能になる。
【００５３】
（ｂ）接続装置情報に基づく選択
上述したように、上記基地局関連情報は、上記接続装置情報であってもよい。即ち、第１選択部１３２は、上記１つ以上の基地局２０の各々の接続装置情報（即ち、上記１つ以上の基地局２０の各々に接続される無線通信装置に関する情報）に基づいて、上記１つ以上の基地局２０の中から基地局２０を選択してもよい。
【００５４】
一例として、第１選択部１３２は、上記１つ以上の基地局２０のうちの、上記接続数（又は接続割合）が相対的に大きい基地局２０を選択する。図１を再び参照すると、例えば、基地局２０Ａの接続数は、基地局２０Ｂの接続数よりも多い。この場合に、例えば、第１選択部１３２は、基地局２０Ａ及び基地局２０Ｂのうちの基地局２０Ａを選択し、基地局２０Ｂを選択しない。
【００５５】
別の例として、第１選択部１３２は、上記１つ以上の基地局２０のうちの、接続数（又は接続割合）が所定数（又は所定割合）よりも大きい基地局２０を選択してもよい。図１を再び参照すると、例えば、基地局２０Ａの接続数（又は接続割合）は、所定数（又は所定割合）よりも大きく、基地局２０Ｂの接続数（又は接続割合）は、所定数（又は所定割合）よりも小さい。この場合に、第１選択部１３２は、基地局２０Ａ及び基地局２０Ｂのうちの基地局２０Ａを選択してもよく、基地局２０Ｂを選択しなくてもよい。なお、上記所定数は動的に更新されてもよい。
【００５６】
これにより、例えば、負荷が大きい基地局２０を選択することが可能になる。
【００５７】
（第１制御部１３３）
第１制御部１３３は、１つ以上の無線通信装置３０への要求であって、測定情報又は位置関連情報の報告の当該要求を制御する。
【００５８】
（ａ）測定情報／位置関連情報
（ａ−１）測定情報
上記測定情報は、無線通信装置３０によるセルについての測定の結果を示す情報である。
【００５９】
例えば、上記測定情報は、ＲＳＲＰ及び／又はＲＳＲＱを示す情報である。なお、上記測定情報は、別の測定項目（例えば、ＲＳＣＰ（Recieved  Signal  Code  Power）など）を示す情報であってもよい。
【００６０】
例えば、上記測定情報は、無線通信装置３０が位置するセル（即ち、選択された上記基地局２０のセル）についての測定の結果を示す情報を含む。なお、上記測定情報は、他のセル（例えば、選択された上記基地局２０の周辺のセル）についての測定の結果を示す情報をさらに含んでもよい。
【００６１】
（ａ−２）位置関連情報
また、上記位置関連情報は、無線通信装置３０の位置に関する情報である。
【００６２】
例えば、上記位置関連情報は、無線通信装置３０の位置を示す位置情報である。より具体的には、例えば、上記位置関連情報は、ＧＰＳ（Global  Positioning  System）受信機により測定される位置を示す情報、又は、周辺基地局により送信される信号に基づいて測定される位置を示す情報である。
【００６３】
なお、上記位置関連情報は、位置情報以外の、無線通信装置３０の位置に関連する情報であってもよい。例えば、上記位置関連情報は、ＴＡ（Timing  Advanced）値を示す情報、又は、複数の基地局からの受信電力を示す情報などを含んでもよい。
【００６４】
（ｂ）１つ以上の無線通信装置
（ｂ−１）選択された基地局の通信エリア内に位置する無線通信装置
例えば、上記１つ以上の無線通信装置３０は、１つ以上の基地局２０の中から選択された基地局２０の通信エリア内に位置する無線通信装置３０である。
【００６５】
例えば、上記１つ以上の基地局２０の中から選択された基地局２０は、第１選択部１３２により選択された基地局２０である。具体的には、例えば、上記１つ以上の基地局２０の中から選択された基地局２０は、上記１つ以上の基地局の各々のトラフィックに関する情報（即ち、上記１つ以上の基地局２０のトラフィック情報）に基づいて選択された基地局２０である。あるいは、上記１つ以上の基地局２０の中から選択された基地局２０は、上記１つ以上の基地局２０の各々に接続される無線通信装置に関する情報（即ち、上記１つ以上の基地局２０の接続装置情報）に基づいて選択された基地局２０である。これにより、例えば、負荷が大きい基地局２０の通信エリア内に位置する無線通信装置３０から、測定情報又は位置情報を収集することが可能になる。その結果、負荷が大きい基地局２０の通信エリア内に位置する無線通信装置３０が基地局として動作し得る。
【００６６】
（ｂ−２）アイドル状態の無線通信装置
例えば、上記１つ以上の無線通信装置３０は、アイドル状態の無線通信装置である。具体的には、例えば、上記１つ以上の無線通信装置３０は、ＲＲＣ（Radio  Resource  Control）  Ｉｄｌｅの状態の無線通信装置である。
【００６７】
これにより、例えば、データの送受信を行っていない無線通信装置３０から、測定情報又は位置情報を収集することが可能になる。その結果、データの送受信を行っていない無線通信装置３０が基地局として動作し得る。即ち、無線通信装置３０のデータの送信を妨げることなく、トラフィックのオフロードが行われ得る。
【００６８】
（ｂ−３）具体例
以下、図３を参照して、上記１つ以上の無線通信装置３０（即ち、報告の要求の対象である無線通信装置３０）の例を説明する。
【００６９】
図３は、報告の要求の対象である１つ以上の無線通信装置３０の例を説明するための説明図である。例えば、選択された基地局２０Ａの通信エリアであるセル２１Ａ内に、１３個の無線通信装置３０Ａ〜３０Ｍが位置する。また、無線通信装置３０Ａ〜３０Ｍのうちの、無線通信装置３０Ｂ、３０Ｅ、３０Ｉ、３０Ｌは、アイドル状態であり、無線通信装置３０Ａ〜３０Ｍのうちの他の無線通信装置３０は、接続状態である。この場合に、無線通信装置３０Ｂ、３０Ｅ、３０Ｉ、３０Ｌが、測定情報又は位置関連情報を報告するように要求される。
【００７０】
（ｂ−４）モビリティが低い無線通信装置
上記１つ以上の無線通信装置３０は、モビリティが低い無線通信装置３０であってもよい。
【００７１】
一例として、複数の無線通信装置３０のモビリティに関する情報が（例えば、基地局２０又はコアネットワークノードにより）制御エンティティ１００に提供されてもよい。そして、第１制御部１３３は、上記複数の無線通信装置３０のうちのモビリティが低い１つ以上の無線通信装置３０を要求の対象として選択してもよい。あるいは、制御エンティティ１００は、（例えば、基地局２０又はコアネットワークノードにより）モビリティが低い１つ以上の無線通信装置３０を通知されてもよい。
【００７２】
これにより、例えば、ビームフォーミングにより適した無線通信装置３０を基地局として動作させることが可能になる。その結果、ビームフォーミングにより適した無線通信装置３０が基地局として動作し得る。そのため、ビームフォーミングにより無線バックホールが実現され得る。また、長い時間所望のエリアに位置する無線通信装置３０が基地局として動作し得る。
【００７３】
（ｃ）制御の例
（ｃ−１）基地局による要求
第１の例として、基地局２０（上記１つ以上の無線通信装置３０が位置するセル２１の基地局２０（即ち、選択された基地局２０））が、上記１つ以上の無線通信装置３０に、上記測定情報又は上記位置関連情報を報告するように要求する。この場合に、例えば、第１制御部１３３は、上記測定情報又は上記位置関連情報の報告を上記１つ以上の無線通信装置３０に要求するように、上記１つ以上の無線通信装置３０が位置するセル２１の基地局２０（即ち、選択された基地局２０）に要求する。より具体的には、例えば、第１制御部１３３は、上記測定情報又は上記位置関連情報の報告を要求する制御情報を上記１つ以上の無線通信装置へ送信するように、上記１つ以上の無線通信装置３０が位置するセル２１の基地局２０（即ち、選択された基地局２０）に要求する。例えばこのように、第１制御部１３３は、基地局２０による要求を制御してもよい。
【００７４】
例えば、上記制御情報は、ＲＲＣコネクションリコンフィギュレーション（RRC  Connection  Reconfiguration）メッセージであり、測定コンフィギュレーション（Measurement  Configuration）を含む。当該測定コンフィギュレーションは、測定オブジェクト（Measurement  objects）、報告コンフィギュレーション（Reporting  Configurations）、測定ＩＤ（Measurement  Identities）、及び測定ギャップ（Measurement  Gap）などを含む。報告コンフィギュレーションは、測定項目（例えば、ＲＳＲＰ及び／若しくはＲＳＲＱ、又はＲＳＣＰなど）、及び、報告に関する指標（周期的報告（periodic  reporting）、又は、イベントトリガ報告（event-triggered  reporting））などを含む。なお、上記他のセルについての測定は測定ギャップで設定された期間に行われてもよい。
【００７５】
（ｃ−２）制御エンティティによる要求
第２の例として、制御エンティティ１００が、上記１つ以上の無線通信装置３０に、上記測定情報又は上記位置関連情報を報告するように要求してもよい。この場合に、第１制御部１３３は、上記測定情報又は上記位置関連情報の報告を要求する制御情報（例えば、報告要求メッセージ）を生成してもよい。そして、第１制御部１３３は、通信部１１０を介して、（上記１つ以上の無線通信装置３０が位置するセル２１の基地局２０（即ち、選択された基地局２０）を介して）上記制御情報（例えば、報告要求メッセージ）を上記１つ以上の無線通信装置３０へ送信してもよい。一例として、第１制御部１３３は、上記１つ以上の無線通信装置３０へのＮＡＳ（Non-Access  Stratum）シグナリングを行ってもよい。例えばこのように、第１制御部１３３は、制御エンティティ１００による要求を制御してもよい。
【００７６】
（ｄ）マルチキャスト／ブロードキャスト
上記要求は、マルチキャスト又はブロードキャストによる要求であってもよい。
【００７７】
例えば、上記測定情報又は上記位置関連情報の報告を要求する上記制御情報が、基地局２０により、上記１つ以上の無線通信装置３０（又は、上記１つ以上の無線通信装置を含む無線通信装置３０）へマルチキャストされてもよい。あるいは、上記測定情報又は上記位置関連情報の報告を要求する上記制御情報が、基地局２０により、（例えば、システム情報の中で）ブロードキャストされてもよい。
【００７８】
これにより、例えば、上記１つ以上の無線通信装置への要求をより効率的に行うことが可能になる。
【００７９】
また、一般的に、コアネットワークノードは、接続状態（例えば、ＲＲＣ  Ｃｏｎｎｅｃｔｅｄの状態）の無線通信装置の位置を、セル単位（即ち、基地局単位）で知ることができる。一方、コアネットワークノードは、アイドル状態（例えば、ＲＲＣ  Ｉｄｌｅの状態）の無線通信装置の位置を、トラッキングエリア（又はローカルエリア）の単位でしか知ることができない。そのため、基地局２０がマルチキャストによって報告を要求することにより、当該基地局２０の通信エリア（即ち、セル）内に位置する無線通信装置に報告を要求することが可能になる。
【００８０】
（ｅ）条件付きの報告
第１制御部１３３は、上記１つ以上の無線通信装置３０を含む無線通信装置３０への要求であって、上記測定情報又は上記位置関連情報の報告の上記要求を制御してもよい。また、上記報告は、報告条件を満たす無線通信装置３０により行われる報告であってもよい。なお、上記１つ以上無線通信装置３０は、上記報告条件を満たす無線通信装置３０であってもよい。
【００８１】
（ｅ−１）報告条件の通知
例えば、上記１つ以上の無線通信装置３０を含む無線通信装置３０への上記要求の際に、上記報告条件が、（基地局２０又は制御エンティティ１００により）当該無線通信装置３０に通知されてもよい。そして、当該無線通信装置３０の各々は、上記報告条件が満たされる場合に、上記測定情報又は上記位置関連情報を報告してもよい。
【００８２】
（ｅ−２）報告条件の例
一例として、上記報告条件は、基地局２０により送信されるリファレンス信号（ＲＳ）の無線通信装置３０における受信電力（例えば、ＲＳＲＰ）が閾値未満であることを含む。これにより、例えば、セルエッジ付近に位置する無線通信装置３０に報告を行わせることが可能になる。
【００８３】
別の例として、上記報告条件は、無線通信装置３０のバッテリーの残量が閾値よりも大きいこと、及び／又は、無線通信装置３０が充電中であること（若しくは、無線通信装置３０が充電中ではないこと）を含んでもよい。これにより、例えば、バッテリーの観点で無線通信装置３０の負担を軽減することが可能になる。
【００８４】
上記報告条件は、無線通信装置３０のモビリティが低いこと（例えば、直近の所定期間内の移動距離が閾値未満であること）であってもよい。
【００８５】
このような報告条件により、例えば、報告を行う無線通信装置３０が限定されるので、報告に要する無線リソースを減らすことが可能になる。
【００８６】
例えば以上のように、第１制御部１３３は、１つ以上の無線通信装置３０への要求であって、測定情報又は位置関連情報の報告の当該要求を制御する。これにより、例えば、所望のエリア（例えば、セルエッジ）に存在する無線通信装置を特定するための情報を得ることが可能になる。
【００８７】
（第２取得部１３５）
第２取得部１３５は、上記１つ以上の無線通信装置３０の各々について、測定情報（無線通信装置３０によるセルについての測定の結果を示す情報）又は位置関連情報（無線通信装置３０の位置に関する情報）を取得する。
【００８８】
例えば、上述したように、基地局２０が、上記１つ以上の無線通信装置３０に、測定情報又は位置関連情報の報告を要求する。すると、上記１つ以上の無線通信装置３０の各々は、測定情報又は位置関連情報を基地局２０に報告する。そして、基地局２０は、上記１つ以上の無線通信装置３０の各々についての上記測定情報又は上記位置関連情報を制御エンティティ１００に提供する。そして、上記１つ以上の無線通信装置３０の各々についての上記測定情報又は上記位置関連情報は、記憶部１２０に記憶される。その後のいずれかのタイミングで、第２取得部１３５は、上記測定情報又は上記位置関連情報を取得する。
【００８９】
図３を再び参照すると、上述したように、例えば、無線通信装置３０Ａ〜３０Ｍのうちの、アイドル状態である無線通信装置３０Ｂ、３０Ｅ、３０Ｉ、３０Ｌが、測定情報を報告する。そして、第２取得部１３５は、無線通信装置３０Ｂ、３０Ｅ、３０Ｉ、３０Ｌの各々について、上記測定情報又は上記位置関連情報を取得する。
【００９０】
なお、上述したように、制御エンティティ１００が、基地局２０を介して、上記１つ以上の無線通信装置３０に測定情報又は位置関連情報の報告を要求してもよい。この場合に、上記１つ以上の無線通信装置３０の各々は、基地局２０を介して、測定情報又は位置関連情報を制御エンティティ１００に報告してもよい。
【００９１】
（第２選択部１３６）
第２選択部１３６は、上記１つ以上の無線通信装置３０の各々についての上記測定情報又は上記位置関連情報に基づいて、上記１つ以上の無線通信装置３０のうちの、基地局として動作させる無線通信装置３０を選択する。
【００９２】
（ａ）測定情報に基づく選択
例えば、第２取得部１３５は、上記１つ以上の無線通信装置３０の各々について上記測定情報（無線通信装置３０によるセルについての測定の結果を示す情報）を取得する。そして、第２選択部１３６は、上記１つ以上の無線通信装置３０の各々についての上記測定情報に基づいて、上記１つ以上の無線通信装置３０のうちの、基地局として動作させる無線通信装置３０を選択する。
【００９３】
（ａ−１）第１の例
上述したように、例えば、上記測定情報は、無線通信装置３０が位置するセル（即ち、選択された基地局２０のセル）についての測定の結果を示す情報を含む。そして、第２選択部１３６は、上記１つ以上の無線通信装置３０のうちの、上記セルについての測定の結果が悪い無線通信装置３０を選択する。
【００９４】
より具体的には、例えば、上記測定情報は、無線通信装置３０が位置するセル（即ち、選択された基地局２０のセル）についてのＲＳＲＰを含む。そして、第２選択部１３６は、当該セルについてのＲＳＲＰが低い（例えば、ＲＳＲＰが閾値未満である）無線通信装置３０を選択する。
【００９５】
図３を再び参照すると、上述したように、例えば、無線通信装置３０Ａ〜３０Ｍのうちの、アイドル状態である無線通信装置３０Ｂ、３０Ｅ、３０Ｉ、３０Ｌが、測定情報を報告する。そして、無線通信装置３０Ｅ、３０Ｉにより報告されるＲＳＲＰは高く、無線通信装置３０Ｂ、３０Ｌにより報告されるＲＳＲＰは低い。そのため、無線通信装置３０Ｂ、３０Ｌが、基地局として動作させる無線通信装置３０として選択される。
【００９６】
これにより、例えば、セルのエッジに位置する無線通信装置３０を基地局として動作させることが可能になる。
【００９７】
（ａ−２）第２の例
上述したように、上記測定情報は、無線通信装置３０が位置するセル（即ち、選択された基地局２０のセル）の測定の結果に加えて、他のセル（例えば、選択された基地局２０の周辺のセル）についての測定の結果をさらに含んでもよい。そして、第２選択部１３６は、いずれのセルについての測定の結果も悪い無線通信装置３０を選択してもよい。
【００９８】
これにより、例えば、いずれの基地局からも離れた無線通信装置３０を、基地局として動作させることが可能になる。一例として、セル（例えば、マクロセル）のエッジに位置し、且つ、スモールセルの近くに位置しない無線通信装置３０を、基地局として動作させることが可能になる。
【００９９】
（ｂ）位置関連情報に基づく選択
例えば、第２取得部１３５は、上記１つ以上の無線通信装置３０の各々について上記位置関連情報（無線通信装置３０の位置に関する情報）を取得する。そして、第２選択部１３６は、上記１つ以上の無線通信装置３０の各々についての上記位置関連情報に基づいて、上記１つ以上の無線通信装置３０のうちの、基地局として動作させる無線通信装置３０を選択する。
【０１００】
例えば、第２選択部１３６は、上記１つ以上の無線通信装置３０のうちの、所望のエリア内に位置する無線通信装置３０を選択する。一例として、当該所望のエリアは、セル（例えば、選択された基地局２０のセル）のエッジである。別の例として、当該所望のエリアは、いずれの基地局からも離れたエリアであってもよい。さらに別の例として、上記所望のエリアは、接続状態の無線通信装置３０が密集しているエリアであってもよい。
【０１０１】
これにより、例えば、所望のエリアに位置する無線通信装置３０を基地局として動作させることが可能になる。
【０１０２】
（ｃ）モビリティ情報に基づく選択
なお、第２取得部１３５は、上記測定情報又は上記位置関連情報とともに、上記１つ以上の無線通信装置３０のモビリティに関するモビリティ情報を取得してもよい。そして、選択される上記無線通信装置３０は、モビリティが低い無線通信装置３０であってもよい。これにより、例えば、ビームフォーミングにより適した無線通信装置３０を基地局として動作させることが可能になる。その結果、ビームフォーミングにより適した無線通信装置３０が基地局として動作し得る。そのため、ビームフォーミングにより無線バックホールが実現され得る。また、長い時間所望のエリアに位置する無線通信装置３０が基地局として動作し得る。
【０１０３】
（第２制御部１３７）
（ａ）基地局動作制御
第２制御部１３７は、選択された上記無線通信装置３０を基地局として動作させるための制御（以下、「基地局動作制御」と呼ぶ）を行う。これにより、例えば、選択された上記無線通信装置３０が基地局として実際に動作することが可能になる。なお、上記基地局動作制御の例を後に詳細に説明する。
【０１０４】
（ｂ）基地局として動作する無線通信装置に関する情報の管理
例えば、第２制御部１３７は、基地局として動作する無線通信装置３０に関する情報（無線通信装置関連情報）を管理する。
【０１０５】
（ｂ−１）無線通信装置関連情報の例
例えば、上記無線通信装置関連情報は、無線通信装置３０の動作モード（例えば、基地局モード又は移動局モードなど）を示す情報を含む。
【０１０６】
例えば、上記無線通信装置関連情報は、無線通信装置３０が基地局として動作する場合に使用する周波数帯域に関する情報を含む。一例として、当該情報は、周波数帯域を示す情報、及び／又は最大送信電力を示す情報などを含む。
【０１０７】
例えば、上記無線通信装置関連情報は、無線通信装置３０と基地局との間の無線バックホールに関する情報を含む。一例として、当該情報は、上記無線バックホールを提供する基地局を示す情報、上記無線バックホールのために使用可能な周波数帯域を示す情報、及び／又は最大送信電力を示す情報などを含む。
【０１０８】
上記無線通信装置関連情報は、無線通信装置３０の位置に関する情報を含んでもよい。
【０１０９】
（ｂ−２）管理の例
例えば、第２制御部１３７は、上記無線通信装置関連情報の記録及び更新を行う。
【０１１０】
具体的には、例えば、選択された上記無線通信装置３０は、後述するように、基地局として動作するように要求されると、基地局としての動作を開始し、当該動作を開始したことを報告する。また、選択された上記無線通信装置３０は、報告の際に、選択された上記無線通信装置３０に関する情報（即ち、無線通信装置関連情報）を提供する。その後、制御エンティティ１００（第２制御部１３７）は、当該情報を（例えば記憶部１２０に）記録する。なお、既に、選択された上記無線通信装置３０に関する情報（即ち、無線通信装置関連情報）が記録されている場合には、制御エンティティ１００（第２制御部１３７）は、当該情報を更新する。
【０１１１】
なお、上記無線通信装置関連情報のうちの一部又は全部は、選択された上記無線通信装置３０により提供されなくてもよい。例えば、上記無線通信装置関連情報のうちの一部又は全部は、他の装置により提供されてもよく、制御エンティティ１００にとって既知であってもよい。
【０１１２】
＜１．３．無線通信装置を基地局として動作させるための制御＞
選択される上記無線通信装置３０を基地局として動作させるための制御（即ち、基地局動作制御）の例を説明する。
【０１１３】
（制御の第１の例：基地局としての動作の要求）
例えば、上記基地局動作制御は、選択された上記無線通信装置３０に対する基地局としての動作の要求を制御することを含む。
【０１１４】
（ａ）制御エンティティによる要求
第１の例として、制御エンティティ１００が、選択された上記無線通信装置３０に、基地局として動作するように要求する。この場合に、例えば、第２制御部１３７は、基地局としての動作を要求する制御情報（例えば、動作要求メッセージ）を生成する。そして、第２制御部１３７は、通信部１１０を介して、（基地局２０を介して）上記制御情報（例えば、動作要求メッセージ）を、選択された上記無線通信装置３０へ送信する。一例として、第２制御部１３７は、選択された上記無線通信装置３０へのＮＡＳシグナリングを行う。例えばこのように、第２制御部１３７は、制御エンティティ１００による要求を制御する。
【０１１５】
（ｂ）基地局による要求
第２の例として、基地局２０（選択された上記無線通信装置３０が位置するセル２１の基地局２０（即ち、選択された基地局２０））が、選択された上記無線通信装置３０に、基地局として動作するように要求してもよい。この場合に、第２制御部１３７は、基地局としての動作を要求する制御情報（例えば、動作要求メッセージ）を、選択された上記無線通信装置３０へ送信するように、基地局２０に要求してもよい。すると、基地局２０は、例えばＲＲＣシグナリングにより、選択された上記無線通信装置３０に、基地局として動作するように要求してもよい。例えばこのように、第２制御部１３７は、基地局２０による要求を制御してもよい。
【０１１６】
なお、アイドル状態の無線通信装置３０が、基地局として動作させる無線通信装置として選択される場合に、例えば、上記制御情報の送信前に、ページングなどにより、アイドル状態の無線通信装置３０は接続状態になる。
【０１１７】
（制御の第２の例：情報提供）
例えば、上記基地局動作制御は、選択された上記無線通信装置３０に情報を提供することを含む。
【０１１８】
（ａ）提供される情報の例
（ａ−１）アクセス情報
例えば、上記基地局動作制御は、選択された上記無線通信装置３０と移動局との間の無線通信のための制御情報（以下、「アクセス情報」と呼ぶ）を提供することを含む。
【０１１９】
例えば、上記アクセス情報は、上記無線通信に使用可能な周波数帯域を示す情報を含む。さらに、例えば、上記アクセス情報は、当該周波数帯域を使用可能な期間を示す情報を含む。また、例えば、上記アクセス情報は、上記無線通信のための最大送信電力を示す情報を含む。
【０１２０】
例えば、上記周波数帯域及び／又は上記最大送信電力は、他の基地局への干渉が回避され又は抑制されるように決定される。一例として、周波数帯域（例えば、各コンポーネントキャリア）及び最大送信電力の各組合せについて、選択された上記無線通信装置３０が周波数帯域を使用して最大送信電力で信号を送信した場合に、周辺の基地局に与える干渉の量が算出される。そして、許容レベル以下の干渉の量を伴う、周波数帯域及び最大送信電力の組み合せが、上記無線通信で使用可能な周波数帯域及び上記無線通信のための最大送信電力の組合せとして決定される。
【０１２１】
これにより、例えば、基地局として動作する無線通信装置３０から他の基地局への干渉を回避し又は抑制することが可能になる。
【０１２２】
（ａ−２）無線バックホール情報
例えば、上記基地局動作制御は、選択された上記無線通信装置３０と基地局との間の無線バックホールのための制御情報（以下、「無線バックホール情報」と呼ぶ）を提供することを含む。
【０１２３】
−基地局
例えば、上記無線バックホール情報は、上記基地局（即ち、無線バックホールを提供する基地局）を示す情報を含む。例えば、当該基地局は、無線バックホール機能を有する基地局である。一例として、当該情報は、セルＩＤである。
【０１２４】
例えば、上記基地局（即ち、無線バックホールを提供する基地局）は、選択された基地局２０（即ち、選択された上記無線通信装置３０が位置するセル２１の基地局２０）である。あるいは、後述するように、上記基地局は、選択された基地局が２０とは異なる他の基地局であってもよい。
【０１２５】
これにより、例えば、無線バックホール機能を有する基地局と無線バックホール機能を有しない基地局が混在する場合でも、選択された上記無線通信装置３０が無線バックホールを確実に利用することが可能になる。
【０１２６】
−周波数帯域
例えば、上記無線バックホール情報は、上記無線バックホールのために使用可能な周波数帯域を示す情報を含む。
【０１２７】
第１の例として、上記周波数帯域は、無線バックホール用の周波数帯域である。一例として、上記周波数帯域は、ミリ波の帯域である。
【０１２８】
第２の例として、上記周波数帯域は、複数の無線通紙システムの間で共用される共用帯域のうちの、使用を許可された周波数帯域であってもよい。当該共用帯域は、ＴＶＷＳ（TV  White  Spaces）の周波数帯域であってもよく、ＳＡＳ（Spectrum  Access  System）の周波数帯域であってもよい。
【０１２９】
第３の例として、上記周波数帯域は、選択された上記無線通信装置３０が位置するセル２１の基地局２０が使用可能な周波数帯域の一部又は全部であってもよい。即ち、上記周波数帯域は、セルラーシステムのライセンスバンドの周波数帯域であってもよい。一例として、上記周波数帯域は、セルラーシステムにおいて（一時的に又は恒久的に）使用されていない周波数帯域であってもよい。別の例として、上記周波数帯域は、干渉の回避又は抑制が可能な周波数帯域であってもよい。
【０１３０】
これにより、例えば、無線バックホールを介して、基地局としてコアネットワークに接続することが可能になる。
【０１３１】
（ａ−３）コアネットワークノード情報
例えば、上記基地局動作制御は、選択された上記無線通信装置３０が接続すべきコアネットワークノードに関する情報（以下、「コアネットワークノード情報」と呼ぶ）を提供することを含む。
【０１３２】
例えば、上記コアネットワークノードは、コアネットワークのゲートウェイを含む。当該ゲートウェイは、例えば、Ｓ−ＧＷ及び／又はＰ−ＧＷを含む。また、例えば、上記コアネットワークノードは、ＭＭＥを含む。
【０１３３】
例えば、上記コアネットワークノード情報は、上記コアネットワークノードのアドレスを含む情報、及び／又は上記コアネットワークノードとの間のプロトコル又はインタフェースを示す情報などを含む。
【０１３４】
これにより、例えば、基地局として動作する無線通信装置３０が、基地局としてコアネットワークノードと通信することが可能になる。
【０１３５】
（ｂ）情報の提供
第１の例として、第２制御部１３７は、選択された上記無線通信装置３０に上記制御情報を提供する。一例として、第２制御部１３７は、ＮＡＳシグナリングにより、選択された上記無線通信装置３０に上記制御情報を提供する。
【０１３６】
第２の例として、第２制御部１３７は、選択された上記無線通信装置３０が位置するセル２１の基地局２０（即ち、選択された基地局２０）に上記制御情報を提供してもよい。そして、当該基地局２０が、（例えば、ＲＲＣシグナリングにより）選択された上記無線通信装置３０に上記制御情報を提供してもよい。
【０１３７】
（制御の第３の例：ハンドオーバのための制御）
例えば、上記基地局動作制御は、選択された上記無線通信装置３０へのハンドオーバのための制御を含む。
【０１３８】
（ａ）第１の例
第１の例として、第２制御部１３７は、選択された上記無線通信装置３０が位置するセル２１の基地局２０（即ち、選択された上記基地局２０）に、選択された上記無線通信装置３０への（移動局として動作する近傍の無線通信装置の）ハンドオーバを要求する。
【０１３９】
図３を再び参照すると、例えば、上述したように、無線通信装置３０Ｂ、３０Ｌが、基地局として動作させる無線通信装置３０として選択される。第２制御部１３７は、基地局２０Ａに、選択された無線通信装置３０Ｂ、３０Ｌへのハンドオーバを要求する。そして、基地局２０Ａは、無線通信装置３０Ｂの近傍に位置する無線通信装置３０Ａ、３０Ｃの、（基地局として動作する）無線通信装置３０Ｂへのハンドオーバを行う。これにより、無線通信装置３０Ａ、３０Ｃは、基地局として動作する無線通信装置３０Ｂとの無線通信を行うようになる。また、基地局２０Ａは、無線通信装置３０Ｌの近傍に位置する無線通信装置３０Ｋ、３０Ｍの、（基地局として動作する）無線通信装置３０Ｌへのハンドオーバを行う。これにより、無線通信装置３０Ｋ、３０Ｍは、基地局として動作する無線通信装置３０Ｌとの無線通信を行うようになる。
【０１４０】
これにより、例えば、選択された基地局２０のトラフィックがオフロードされ得る。
【０１４１】
（ｂ）第２の例
第２の例として、第２制御部１３７は、選択された上記無線通信装置３０のセルを近隣セルリスト（Neighbour  Cell  List）内に追加するように、選択された上記無線通信装置３０の周辺の基地局に要求してもよい。当該基地局は、選択された上記基地局２０を含んでもよい。その結果、当該基地局は、選択された上記無線通信装置３０のセルを含む近隣セルリストを送信してもよい。これにより、例えば、選択された上記無線通信装置３０についての測定報告が他の無線通信装置により行われる。そのため、選択された上記無線通信装置３０へのハンドオーバが行われ得る。その結果、選択された基地局２０のトラフィックがオフロードされ得る。
【０１４２】
なお、選択された上記無線通信装置３０が、基地局としての動作を停止する場合には、第２制御部１３７は、選択された上記無線通信装置３０のセルを近隣セルリスト内で削除するように、選択された上記無線通信装置３０の周辺の基地局に要求してもよい。その結果、当該基地局は、選択された上記無線通信装置３０のセルを含まない近隣セルリストを送信してもよい。
【０１４３】
（ｃ）第３の例
第３の例として、第２制御部１３７は、測定（measurement）に関するパラメータを変更するように、選択された上記無線通信装置３０の周辺の基地局に要求してもよい。上記パラメータは、選択された上記無線通信装置３０のセルがより選択されやすくなるように決定されてもよい。
【０１４４】
上記パラメータは、測定報告（measurement  report）のイベントについての閾値及び／又はオフセットを含んでもよい。上記パラメータは、セル選択（cell  selection）／セル再選択（cell  reselection）のためのＳ−ｃｒｉｔｅｒｉｏｎに関する変数を含んでもよい。上記パラメータは、リファレンス信号の送信電力を含んでもよい。
【０１４５】
（制御の第４の例：無線バックホールを提供する基地局の選択）
上記基地局動作制御は、選択された上記無線通信装置３０（即ち、基地局として動作する装置）に無線バックホールを提供する基地局を選択することを含んでもよい。
【０１４６】
第１のケースでは、第１選択部１３２により選択された基地局２０（即ち、選択された上記無線通信装置３０が位置するセル２１の基地局２０）が、有線バックホールを介してコアネットワークに接続されていてもよい。この場合に、第２制御部１３７は、選択された上記無線通信装置３０に無線バックホールを提供する基地局として、第１選択部１３２により選択された基地局２０を選択してもよい。
【０１４７】
第２のケースでは、第１選択部１３２により選択された基地局２０（即ち、選択された上記無線通信装置３０が位置するセル２１の基地局２０）が、無線バックホール（及び有線バックホール）を介してコアネットワークに接続されていてもよい。この場合に、第２制御部１３７は、選択された上記無線通信装置３０に無線バックホールを提供する基地局として、有線ネットワークを介してコアネットワークに接続されている他の基地局を選択してもよい。一例として、当該他の基地局は、第１選択部１３２により選択された基地局２０の近傍に位置する基地局（例えば、基地局２０のセル２１内に位置するスモールセル基地局、又は、基地局２０に隣接する基地局など）であってもよい。別の例として、上記他の基地局は、選択された上記無線通信装置３０の近傍に位置する基地局（例えば、基地局２０のセル２１内に位置するスモールセル基地局、又は、基地局２０に隣接する基地局など）であってもよい。
【０１４８】
これにより、キャパシティが改善され得る。
【０１４９】
なお、上記第２のケースでは、第１選択部１３２により選択された基地局２０（即ち、無線バックホールを介してコアネットワークに接続されている基地局）と、選択された上記無線通信装置３０（即ち、基地局として動作する無線通信装置）との間で、無線バックホールの干渉が発生し得る。このような場合には、第１選択部１３２により選択された基地局２０の無線バックホールの送信電力が下げられてもよい。さらに、第１選択部１３２により選択された基地局２０に接続されている端末装置が、選択された上記無線通信装置３０（即ち、基地局として動作する無線通信装置）へハンドオーバされてもよい。その結果、無線バックホールの干渉が抑えられ得る。
【０１５０】
（基地局として動作する無線通信装置の例）
以下、図４を参照して、基地局として動作する無線通信装置３０の例を説明する。
【０１５１】
図４は、基地局として動作する無線通信装置３０の例を説明するための説明図である。図４を参照すると、図３を再び参照して説明したように、基地局として動作させる無線通信装置３０として、無線通信装置３０Ｂ、３０Ｌが選択される。そして、無線通信装置３０Ｂ、３０Ｌは、基地局としての動作を開始する。その後、移動局として動作する無線通信装置３０Ａ及び無線通信装置３０Ｃの、無線通信装置３０Ｂへのハンドオーバが行われ、無線通信装置３０Ｂは、無線通信装置３０Ａ及び無線通信装置３０Ｃとの無線通信を行う。また、移動局として動作する無線通信装置３０Ｋ及び無線通信装置３０Ｍの、無線通信装置３０Ｌへのハンドオーバが行われ、無線通信装置３０Ｌは、無線通信装置３０Ｋ及び無線通信装置３０Ｍとの無線通信を行う。
【０１５２】
＜１．４．処理の流れ＞
次に、図５を参照して、第１の実施形態に係る処理の例を説明する。図５は、第１の実施形態に係る処理の概略的な流れの一例を示すフローチャートである。
【０１５３】
制御エンティティ１００は、基地局２０のトラフィックに関する情報を１つ以上の基地局２０に要求し（Ｓ４０１）、１つ以上の基地局２０の各々は、トラフィック情報を制御エンティティ１００に提供する（Ｓ４０３）。
【０１５４】
制御エンティティ１００は、上記トラフィック情報に基づいて、上記１つ以上の基地局２０の中から基地局２０を選択する（Ｓ４０５）。
【０１５５】
制御エンティティ１００は、選択された上記基地局２０の通信エリア内に位置する１つ以上の無線通信装置３０に測定情報の報告を要求するように、選択された上記基地局２０に要求する（Ｓ４０７）。
【０１５６】
選択された上記基地局２０は、自らの通信エリア内に位置する１つ以上の無線通信装置３０に測定情報の報告を要求する（Ｓ４０９）。すると、上記１つ以上の無線通信装置３０は、測定を実行し（Ｓ４１１）、測定の結果を示す測定情報を基地局２０に報告する（Ｓ４１３）。
【０１５７】
選択された上記基地局２０は、上記１つ以上の無線通信装置３０の各々についての上記測定情報を制御エンティティ１００に提供する（Ｓ４１５）。
【０１５８】
制御エンティティ１００は、上記１つ以上の無線通信装置３０の各々についての上記測定情報に基づいて、上記１つ以上の無線通信装置３０のうちの、基地局として動作させる無線通信装置３０を選択する（Ｓ４１７）。
【０１５９】
制御エンティティ１００は、選択された上記無線通信装置３０に、基地局として動作するように要求する（Ｓ４１９、Ｓ４２１）。例えば、制御エンティティ１００は、選択された上記基地局２０を介して、基地局としての動作を要求する制御情報（例えば、動作要求メッセージ）を、選択された上記無線通信装置３０へ送信する。
【０１６０】
選択された上記無線通信装置３０は、基地局としての動作を開始する（Ｓ４２３）。さらに、選択された上記無線通信装置３０は、基地局としての動作を開始したことを報告する（Ｓ４２５、Ｓ４２７）。選択された上記無線通信装置３０は、報告の際に、選択された上記無線通信装置３０に関する情報（即ち、無線通信装置関連情報）を提供する。
【０１６１】
その後、制御エンティティ１００は、上記無線通信関連情報を記録し、又は更新する（Ｓ４２９）。
【０１６２】
以上、第１の実施形態に係る処理の概略的な流れを説明した。なお、当然ながら、測定情報の代わりに位置関連情報が用いられてもよい。また、トラフィック情報の代わりに接続装置情報が用いられてもよい。
【０１６３】
＜１．５．変形例＞
次に、第１の実施形態の変形例を説明する。制御エンティティ１００は、選択された上記無線通信装置３０に基地局としての動作を停止させるための制御（以下、「停止制御」と呼ぶ）を行う。
【０１６４】
（第２制御部１３７）
（ｃ）停止制御
第１の実施形態の変形例では、第２制御部１３７は、選択された上記無線通信装置３０に基地局としての動作を停止させるための制御（以下、「停止制御」と呼ぶ）を行う。
【０１６５】
（ｃ−１）停止制御
例えば、上記停止制御は、選択された上記無線通信装置３０に対する停止の要求を制御することを含む。
【０１６６】
−制御エンティティによる要求
第１の例として、制御エンティティ１００が、選択された上記無線通信装置３０に、基地局としての動作を停止するように要求する。この場合に、例えば、第２制御部１３７は、基地局としての動作の停止を要求する制御情報（例えば、停止要求メッセージ）を生成する。そして、第２制御部１３７は、通信部１１０を介して、（基地局２０を介して）上記制御情報（例えば、停止要求メッセージ）を、選択された上記無線通信装置３０へ送信する。一例として、第２制御部１３７は、選択された上記無線通信装置３０へのＮＡＳシグナリングを行う。例えばこのように、第２制御部１３７は、制御エンティティ１００による要求を制御する。
【０１６７】
−基地局による要求
第２の例として、基地局２０（選択された上記無線通信装置３０が位置するセルの基地局２０（即ち、選択された基地局２０））が、選択された上記無線通信装置３０に、基地局として動作を停止するように要求してもよい。この場合に、第２制御部１３７は、基地局としての動作の停止を要求する制御情報（例えば、停止要求メッセージ）を、選択された上記無線通信装置３０へ送信するように、基地局２０に要求してもよい。すると、基地局２０は、例えばＲＲＣシグナリングにより、選択された上記無線通信装置３０に、基地局としての動作を停止するように要求してもよい。例えばこのように、第２制御部１３７は、基地局２０による要求を制御してもよい。
【０１６８】
以上のように、選択された上記無線通信装置３０は、基地局としての動作を停止するように要求される。なお、選択された上記無線通信装置３０は、基地局としての動作を停止する前に、選択された上記無線通信装置３０に接続される他の無線通信装置３０のハンドオーバを行う。そして、選択された上記無線通信装置３０は、上記ハンドオーバの完了後に、基地局としての動作を停止する。上記ハンドオーバは、制御エンティティ１００からの停止の要求に応じて行われてもよく、制御エンティティ１００からの別の要求（例えば、ハンドオーバの要求）に応じて行われてもよい。
【０１６９】
（ｃ−２）停止の条件
−選択された上記無線通信装置３０からの要求がある場合
第１の例として、第２制御部１３７は、選択された上記無線通信装置３０からの要求に応じて、上記停止制御を行う。
【０１７０】
例えば、選択された上記無線通信装置３０が、基地局としての動作の停止を要求するメッセージを制御エンティティ１００に送信する。すると、第２制御部１３７は、上記停止制御を行う。
【０１７１】
これにより、例えば、無線通信装置３０のユーザの希望に沿うことが可能になる。
【０１７２】
−選択された上記無線通信装置３０が対象エリア外に位置する場合
第２の例として、第２制御部１３７は、選択された上記無線通信装置３０が対象エリア外に位置する場合に、上記停止制御を行ってもよい。
【０１７３】
一例として、上記対象エリアは、選択された上記無線通信装置３０が位置するセル（即ち、選択された基地局２０のセル）であってもよい。即ち、選択された上記無線通信装置３０がセル外に移動すると、第２制御部１３７は、上記停止制御を行ってもよい。別の例として、選択された上記無線通信装置３０が移動局との無線通信に使用可能な周波数帯域が、特定のエリア内での使用を条件に、選択された上記無線通信装置３０に許可されている場合に、上記対象エリアは、当該特定のエリアであってもよい。なお、上記対象エリアはこれらの例に限定されない。
【０１７４】
例えば、第２制御部１３７は、選択された上記無線通信装置３０の位置を示す情報を取得し、当該位置に基づいて、選択された上記無線通信装置３０が対象エリア外に位置するかを判定してもよい。
【０１７５】
以上、第１の実施形態を説明した。第１の実施形態によれば、制御エンティティ１００は、移動局及び基地局として動作可能な１つ以上の無線通信装置３０の各々についての測定情報又は位置関連情報に基づいて、上記１つ以上の無線通信装置３０のうちの、基地局として動作させる無線通信装置３０を選択する。これにより、例えば、セルにおけるトラフィクのオフロードを柔軟に行うことが可能になる。より具体的には、例えば、必要に応じて、１つ以上の無線通信装置３０のうちの、セルエッジ又は所望のエリアに位置する無線通信装置３０が、基地局として動作し得る。そして、セルエッジ又は所望のエリアに位置する他の無線通信装置３０が、基地局として動作する上記無線通信装置３０を介して通信し得る。その結果、セルエッジ又は所望のエリアに位置する他の無線通信装置３０のトラフィックがオフロードされ得る。
【０１７６】
＜＜２．第２の実施形態＞＞
続いて、本開示の第２の実施形態を説明する。
【０１７７】
上述した第１の実施形態では、制御エンティティ１００が、移動局及び基地局として動作可能な１つ以上の無線通信装置３０の各々についての測定情報又は位置関連情報に基づいて、上記１つ以上の無線通信装置３０のうちの、基地局として動作させる無線通信装置３０を選択する。
【０１７８】
一方、第２の実施形態では、基地局２００が、移動局及び基地局として動作可能な１つ以上の無線通信装置３０の各々についての測定情報又は位置関連情報に基づいて、上記１つ以上の無線通信装置３０のうちの、基地局として動作させる無線通信装置３０を選択する。
【０１７９】
＜２．１．通信システムの構成＞
図６を参照して、第２の実施形態に係る通信システム２の概略的な構成を説明する。図６は、第２の実施形態に係る通信システム２の概略的な構成の一例を示す説明図である。図６を参照すると、通信システム２は、基地局２００及び無線通信装置３０を含む。
【０１８０】
（無線通信装置３０）
無線通信装置３０は、移動局及び基地局として動作可能である。
【０１８１】
例えば、無線通信装置３０は、移動局として動作する。例えば、無線通信装置３０は、基地局２００との無線通信を行う。より具体的には、例えば、無線通信装置３０は、基地局２００のセル２１内に位置する場合に基地局２００との無線通信を行う。
【０１８２】
例えば、無線通信装置３０は、基地局として動作する。例えば、無線通信装置３０は、他の無線通信装置（例えば、他の無線通信装置３０）との無線通信を行う。より具体的には、例えば、無線通信装置３０は、無線通信装置３０の通信エリア内に位置する他の無線通信装置との無線通信を行う。
【０１８３】
（基地局２００）
基地局２００は、無線通信装置３０との無線通信を行う。例えば、基地局２００は、基地局２００の通信エリアであるセル２１内に位置する無線通信装置３０との無線通信を行う。例えば、セル２１は、マクロセルであり、基地局２００は、マクロセルの基地局である。あるいは、セル２１は、スモールセルであってもよく、基地局２００は、スモールセルの基地局であってもよい。
【０１８４】
第２の実施形態では、基地局２００は、基地局として動作させる無線通信装置３０を選択する。とりわけ、基地局２００は、１つ以上の無線通信装置３０によるセルについての測定の結果を示す測定情報、又は、１つ以上の無線通信装置３０の位置に関する位置関連情報に基づいて、基地局として動作させる無線通信装置３０を選択する。
【０１８５】
また、例えば、基地局２００は、選択される無線通信装置３０を基地局として動作させるための制御を行う。
【０１８６】
以上、第２の実施形態に係る通信システム２を説明した。なお、通信システム２は、移動局及び基地局として動作可能な無線通信装置３０のみではなく、移動局としてのみ動作可能な無線通信装置をさらに含んでもよい。
【０１８７】
＜２．２．基地局の構成＞
図７を参照して、第２の実施形態に係る基地局２００の構成の一例を説明する。図７は、第２の実施形態に係る基地局２００の構成の一例を示すブロック図である。図７を参照すると、基地局２００は、アンテナ部２１０、無線通信部２２０、ネットワーク通信部２３０、記憶部２４０及び処理部２５０を備える。
【０１８８】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【０１８９】
（無線通信部２２０）
無線通信部２２０は、信号を送受信する。例えば、無線通信部２２０は、セル２１内に位置する無線通信装置３０へのダウンリンク信号を送信し、セル２１内に位置する無線通信装置３０からのアップリンク信号を受信する。
【０１９０】
（ネットワーク通信部２３０）
ネットワーク通信部２３０は、他のノードへの情報を送信し、他のノードからの情報を受信する。例えば、上記他のノードは、他の基地局及びコアネットワークノードを含む。
【０１９１】
（記憶部２４０）
記憶部２４０は、基地局２００の動作のためのプログラム及びデータを一時的に又は恒久的に記憶する。
【０１９２】
（処理部２５０）
処理部２５０は、基地局２００の様々な機能を提供する。処理部２５０は、第１制御部２５１、取得部２５３、選択部２５５及び第２制御部２５７を含む。なお、処理部２５０は、これらの構成要素以外の他の構成要素をさらに含み得る。即ち、処理部２５０は、これらの構成要素の動作以外の動作も行い得る。
【０１９３】
（第１制御部２５１）
第１制御部２５１は、１つ以上の無線通信装置３０への要求であって、測定情報又は位置関連情報の報告の当該要求を制御する。
【０１９４】
（ａ）測定情報／位置関連情報
測定情報及び位置関連情報についての説明は、第１の実施形態と第２の実施形態との間に差異はない。よって、ここでは重複する記載を省略する。
【０１９５】
（ｂ）１つ以上の無線通信装置
（ｂ−１）基地局の通信エリア内に位置する無線通信装置
例えば、上記１つ以上の無線通信装置３０は、基地局２００の通信エリア内に位置する無線通信装置３０である。
【０１９６】
（ｂ−２）アイドル状態の無線通信装置
例えば、上記１つ以上の無線通信装置３０は、アイドル状態の無線通信装置である。具体的には、例えば、上記１つ以上の無線通信装置３０は、ＲＲＣ  Ｉｄｌｅの状態の無線通信装置である。
【０１９７】
これにより、例えば、データの送受信を行っていない無線通信装置３０から、測定情報又は位置情報を収集することが可能になる。その結果、データの送受信を行っていない無線通信装置３０が基地局として動作し得る。即ち、無線通信装置３０のデータの送信を妨げることなく、トラフィックのオフロードが行われ得る。
【０１９８】
（ｂ−３）モビリティが低い無線通信装置
上記１つ以上の無線通信装置３０は、モビリティが低い無線通信装置３０であってもよい。
【０１９９】
一例として、第１制御部２５１は、複数の無線通信装置３０のモビリティに関する情報を取得し、当該複数の無線通信装置３０のうちのモビリティが低い１つ以上の無線通信装置３０を要求の対象として選択してもよい。
【０２００】
これにより、例えば、ビームフォーミングにより適した無線通信装置３０を基地局として動作させることが可能になる。その結果、ビームフォーミングにより適した無線通信装置３０が基地局として動作し得る。そのため、ビームフォーミングにより無線バックホールが実現され得る。また、長い時間所望のエリアに位置する無線通信装置３０が基地局として動作し得る。
【０２０１】
（ｃ）制御の例
例えば、第１制御部２５１は、上記測定情報又は上記位置関連情報を報告するように、上記１つ以上の無線通信装置３０に要求する。より具体的には、例えば、第１制御部２５１は、上記測定情報又は上記位置関連情報の報告を要求する制御情報（例えば、報告要求メッセージ）を生成する。そして、第１制御部２５１は、アンテナ部２１０及び無線通信部２２０を介して、上記制御情報を上記１つ以上の無線通信装置３０へ送信する。
【０２０２】
例えば、上記制御情報は、ＲＲＣコネクションリコンフィギュレーションメッセージであり、測定コンフィギュレーションを含む。
【０２０３】
（ｄ）マルチキャスト／ブロードキャスト
上記要求は、マルチキャスト又はブロードキャストによる要求であってもよい。
【０２０４】
例えば、基地局２００は、上記測定情報又は上記位置関連情報の報告を要求する上記制御情報を、上記１つ以上の無線通信装置３０（又は、上記１つ以上の無線通信装置を含む無線通信装置３０）へマルチキャストしてもよい。あるいは、基地局２００は、上記測定情報又は上記位置関連情報の報告を要求する上記制御情報を（例えば、システム情報の中で）ブロードキャストしてもよい。
【０２０５】
これにより、例えば、上記１つ以上の無線通信装置への要求をより効率的に行うことが可能になる。
【０２０６】
また、一般的に、コアネットワークノードは、接続状態（例えば、ＲＲＣ  Ｃｏｎｎｅｃｔｅｄの状態）の無線通信装置の位置を、セル単位（即ち、基地局単位）で知ることができる。一方、コアネットワークノードは、アイドル状態（例えば、ＲＲＣ  Ｉｄｌｅの状態）の無線通信装置の位置を、トラッキングエリア（又はローカルエリア）の単位でしか知ることができない。そのため、基地局２００がマルチキャストによって報告を要求することにより、当該基地局２００の通信エリア（即ち、セル２１）内に位置する無線通信装置３０に報告を要求することが可能になる。
【０２０７】
（ｅ）条件付きの報告
第１制御部２５１は、上記１つ以上の無線通信装置３０を含む無線通信装置３０への要求であって、上記測定情報又は上記位置関連情報の報告の上記要求を制御してもよい。また、上記報告は、報告条件を満たす無線通信装置３０により行われる報告であってもよい。なお、上記１つ以上無線通信装置３０は、上記報告条件を満たす無線通信装置３０であってもよい。
【０２０８】
（ｅ−１）報告条件の通知
例えば、上記１つ以上の無線通信装置３０を含む無線通信装置３０への上記要求の際に、上記報告条件が、基地局２００により当該無線通信装置３０に通知されてもよい。そして、当該無線通信装置３０の各々は、上記報告条件が満たされる場合に、上記測定情報又は上記位置関連情報を報告してもよい。
【０２０９】
（ｅ−２）報告条件の例
上記報告条件の例の説明は、第１の実施形態と第２の実施形態との間に差異はない。よって、ここでは重複する記載を省略する。
【０２１０】
（ｆ）トリガ
例えば、処理部２５０（例えば、第１制御部２５１）は、基地局２００に関する情報（以下、「基地局関連情報」と呼ぶ）に基づいて、無線通信装置３０を基地局として動作させるかを判定する。そして、処理部２５０（例えば、第１制御部２５１）が、無線通信装置３０を基地局として動作させると判定する場合に、第１制御部２５１は、測定情報又は位置関連情報を報告するように、上記１つ以上の無線通信装置３０に要求する。
【０２１１】
（ｆ−１）第１の例：トラフィック情報
例えば、上記基地局関連情報は、基地局２００のトラフィックに関する情報（以下、「トラフィック情報」と呼ぶ）である。即ち、処理部２５０（例えば、第１制御部２５１）は、上記トラフィック情報に基づいて、無線通信装置３０を基地局として動作させるかを判定する。
【０２１２】
例えば、上記トラフィックは、基地局２００により既に処理されたトラフィックである。あるいは、上記トラフィックは、基地局２００により今後処理されると想定されるトラフィックであってもよい。
【０２１３】
一例として、上記トラフィック情報は、基地局２００が既に処理したトラフィックの量（例えば、総量又は平均値など）を示す情報である。別の例として、基地局２００により既に処理されたトラフィックの量の履歴を示す情報であってもよい。また、上記トラフィック情報は、基地局２００により既に処理された、若しくは、今後処理されると想定される制御情報の数に係る情報であってもよい。
【０２１４】
（ｆ−２）第２の例：接続装置情報
例えば、上記基地局関連情報は、基地局２００に接続される無線通信装置に関する情報（以下、「接続装置情報」と呼ぶ）であってもよい。即ち、処理部２５０（例えば、第１制御部２５１）は、上記接続装置情報に基づいて、無線通信装置３０を基地局として動作させるかを判定する。
【０２１５】
例えば、上記接続装置情報は、基地局２００に接続される無線通信装置の数（以下、「接続数」と呼ぶ）を示す情報である。当該無線通信装置は、移動局及び基地局として動作可能な無線通信装置３０であってもよく、又は、無線通信装置３０及び他の無線通信装置（移動局としてのみ動作可能な無線通信装置）を含んでもよい。
【０２１６】
なお、上記接続数は、基地局２００のセル２１のエッジに位置する無線通信装置（例えば、基地局２００により送信されるＲＳの受信電力（例えば、ＲＳＲＰ）が閾値未満である無線通信装置）の数であってもよい。あるいは、上記接続装置情報は、基地局２００に接続される無線通信装置の中の、基地局２００のセル２１のエッジに位置する無線通信装置（例えば、基地局２００により送信されるＲＳの受信電力（例えば、ＲＳＲＰ）が閾値未満である無線通信装置）の割合（以下、「接続割合」と呼ぶ）を示す情報であってもよい。これにより、例えば、基地局２００がリンクアダプテーションの効果を得にくいかを知ることが可能になる。なお、上記閾値は動的に更新されてもよい。
【０２１７】
（取得部２５３）
取得部２５３は、上記１つ以上の無線通信装置３０の各々について、測定情報（無線通信装置３０によるセルについての測定の結果を示す情報）又は位置関連情報（無線通信装置３０の位置に関する情報）を取得する。
【０２１８】
例えば、上述したように、基地局２００が、上記１つ以上の無線通信装置３０に、測定情報又は位置関連情報の報告を要求する。すると、上記１つ以上の無線通信装置３０の各々は、測定情報又は位置関連情報を基地局２００に報告する。そして、上記１つ以上の無線通信装置３０の各々についての上記測定情報又は上記位置関連情報は、記憶部２４０に記憶される。その後のいずれかのタイミングで、取得部２５３は、上記測定情報又は上記位置関連情報を取得する。
【０２１９】
（選択部２５５）
選択部２５５は、上記１つ以上の無線通信装置３０の各々についての上記測定情報又は上記位置関連情報に基づいて、上記１つ以上の無線通信装置３０のうちの、基地局として動作させる無線通信装置３０を選択する。
【０２２０】
この点についての説明は、符号及び主体などの相違と、以下の特徴の追加とを除き、第１の実施形態と第２の実施形態との間に差異はない。よって、ここでは重複する記載を省略する。
【０２２１】
（ｄ）基地局２００のバックホール回線の種別に基づく選択
選択部２５５は、基地局２００のバックホール（即ち、基地局２００とコアネットワークとの間のバックホール）の種別に基づいて、基地局として動作させる無線通信装置３０を選択してもよい。
【０２２２】
第１のケースでは、上記バックホールは、有線バックホールであってもよく、この場合に、選択部２５５は、基地局として動作させるより多数の無線通信装置３０を選択してもよい。第２のケースでは、上記バックホールは、無線バックホールを含んでもよく、この場合に、選択部２５５は、基地局として動作させるより少数の無線通信装置３０を選択してもよい。
【０２２３】
（第２制御部２５７）
（ａ）基地局動作制御
第２制御部２５７は、選択された上記無線通信装置３０を基地局として動作させるための制御（以下、「基地局動作制御」と呼ぶ）を行う。これにより、例えば、選択された上記無線通信装置３０が基地局として実際に動作することが可能になる。なお、上記基地局動作制御の例を後に詳細に説明する。
【０２２４】
（ｂ）基地局として動作する無線通信装置に関する情報の管理
例えば、第２制御部２５７は、基地局として動作する無線通信装置３０に関する情報（無線通信装置関連情報）を管理する。
【０２２５】
（ｂ−１）無線通信装置関連情報の例
上記無線通信装置関連情報の例の説明は、第１の実施形態と第２の実施形態との間に差異はない。よって、ここでは重複する記載を省略する。
【０２２６】
（ｂ−２）管理の例
例えば、第２制御部２５７は、上記無線通信装置関連情報の記録及び更新を行う。
【０２２７】
この点についての説明は、符号及び主体などの相違を除き、第１の実施形態と第２の実施形態との間に差異はない。よって、ここでは重複する記載を省略する。
【０２２８】
＜２．３．無線通信装置を基地局として動作させるための制御＞
選択される上記無線通信装置３０を基地局として動作させるための制御（即ち、基地局動作制御）の例を説明する。
【０２２９】
（制御の第１の例：基地局としての動作の要求）
例えば、上記基地局動作制御は、選択された上記無線通信装置３０に対する基地局としての動作の要求を制御することを含む。
【０２３０】
例えば、第２制御部２５７は、基地局としての動作を要求する制御情報（例えば、動作要求メッセージ）を生成する。そして、第２制御部２５７は、アンテナ部２１０及び無線通信部２２０を介して、上記制御情報（例えば、動作要求メッセージ）を、選択された上記無線通信装置３０へ送信する。一例として、第２制御部２５７は、選択された上記無線通信装置３０へのＲＲＣシグナリングにより、上記制御情報を送信する。
【０２３１】
なお、アイドル状態の無線通信装置３０が、基地局として動作させる無線通信装置として選択される場合に、例えば、上記制御情報の送信前に、ページングなどにより、アイドル状態の無線通信装置３０は接続状態になる。
【０２３２】
（制御の第２の例：情報提供）
例えば、上記基地局動作制御は、選択された上記無線通信装置３０に情報を提供することを含む。
【０２３３】
（ａ）提供される情報の例
選択された上記無線通信装置３０に提供される情報の説明は、第１の実施形態と第２の実施形態との間に差異はない。よって、ここでは重複する記載を省略する。
【０２３４】
（ｂ）情報の提供
例えば、第２制御部２５７は、ＲＲＣシグナリングにより、選択された上記無線通信装置３０に上記制御情報を提供する。
【０２３５】
（制御の第３の例：ハンドオーバのための制御）
例えば、上記基地局動作制御は、選択された上記無線通信装置３０へのハンドオーバのための制御を含む。
【０２３６】
（ａ）第１の例
第１の例として、第２制御部２５７は、選択された上記無線通信装置３０への（移動局として動作する近傍の無線通信装置の）ハンドオーバを決定する。そして、第２制御部２５７は、当該ハンドオーバを行う。これにより、例えば、基地局２００のトラフィックがオフロードされ得る。
【０２３７】
（ｂ）第２の例
第２の例として、第２制御部２５７は、選択された上記無線通信装置３０のセルを近隣セルリスト内に追加してもよい。さらに、第２制御部２５７は、選択された上記無線通信装置３０のセルを近隣セルリスト内に追加するように、選択された上記無線通信装置３０の周辺の他の基地局に要求してもよい。これにより、例えば、選択された上記無線通信装置３０についての測定報告が他の無線通信装置により行われる。そのため、選択された上記無線通信装置３０へのハンドオーバが行われ得る。その結果、基地局２００のトラフィックがオフロードされ得る。
【０２３８】
なお、選択された上記無線通信装置３０が、基地局としての動作を停止する場合には、選択された上記無線通信装置３０のセルを近隣セルリスト内で削除してもよい。さらに、第２制御部２５７は、選択された上記無線通信装置３０のセルを近隣セルリスト内で削除するように、選択された上記無線通信装置３０の周辺の基地局に要求してもよい。
【０２３９】
（ｃ）第３の例
第３の例として、第２制御部２５７は、測定（measurement）に関するパラメータを変更してもよい。さらに、第２制御部２５７は、測定に関するパラメータを変更するように、選択された上記無線通信装置３０の周辺の基地局に要求してもよい。上記パラメータは、選択された上記無線通信装置３０のセルがより選択されやすくなるように決定されてもよい。
【０２４０】
上記パラメータは、測定報告のイベントについての閾値及び／又はオフセットを含んでもよい。上記パラメータは、セル選択／セル再選択のためのＳ−ｃｒｉｔｅｒｉｏｎに関する変数を含んでもよい。上記パラメータは、リファレンス信号の送信電力を含んでもよい。
【０２４１】
＜２．４．処理の流れ＞
次に、図８を参照して、第２の実施形態に係る処理の例を説明する。図８は、第２の実施形態に係る処理の概略的な流れの一例を示すフローチャートである。
【０２４２】
基地局２００は、自らの通信エリア（セル２１）内に位置する１つ以上の無線通信装置３０に測定情報の報告を要求する（Ｓ５０１）。すると、上記１つ以上の無線通信装置３０は、測定を実行し（Ｓ５０３）、測定の結果を示す測定情報を基地局２００に報告する（Ｓ５０５）。
【０２４３】
基地局２００は、上記１つ以上の無線通信装置３０の各々についての上記測定情報に基づいて、上記１つ以上の無線通信装置３０のうちの、基地局として動作させる無線通信装置３０を選択する（Ｓ５０７）。
【０２４４】
基地局２００は、選択された上記無線通信装置３０に、基地局として動作するように要求する（Ｓ５０９）。例えば、基地局２００は、基地局としての動作を要求する制御情報（例えば、動作要求メッセージ）を、選択された上記無線通信装置３０へ送信する。
【０２４５】
選択された上記無線通信装置３０は、基地局としての動作を開始する（Ｓ５１１）。さらに、選択された上記無線通信装置３０は、基地局としての動作を開始したことを報告する（Ｓ５１３）。選択された上記無線通信装置３０は、報告の際に、選択された上記無線通信装置３０に関する情報（即ち、無線通信装置関連情報）を提供する。
【０２４６】
その後、基地局２００は、上記無線通信関連情報を記録し、又は更新する（Ｓ５１５）。
【０２４７】
以上、第２の実施形態に係る処理の概略的な流れを説明した。なお、当然ながら、測定情報の代わりに位置関連情報が用いられてもよい。
【０２４８】
＜２．５．変形例＞
次に、第２の実施形態の変形例を説明する。基地局２００は、選択された上記無線通信装置３０に基地局としての動作を停止させるための制御（以下、「停止制御」と呼ぶ）を行う。
【０２４９】
（ｃ−１）停止制御
例えば、上記停止制御は、選択された上記無線通信装置３０に対する停止の要求を制御することを含む。
【０２５０】
例えば、第２制御部２５７は、基地局としての動作の停止を要求する制御情報（例えば、停止要求メッセージ）を生成する。そして、第２制御部２５７は、アンテナ部２１０及び無線通信部２２０を介して、上記制御情報（例えば、停止要求メッセージ）を、選択された上記無線通信装置３０へ送信する。一例として、第２制御部２５７は、選択された上記無線通信装置３０へのＲＲＣシグナリングにより、上記制御情報を送信する。
【０２５１】
以上のように、選択された上記無線通信装置３０は、基地局としての動作を停止するように要求される。なお、選択された上記無線通信装置３０は、基地局としての動作を停止する前に、選択された上記無線通信装置３０に接続される他の無線通信装置３０のハンドオーバを行う。そして、選択された上記無線通信装置３０は、上記ハンドオーバの完了後に、基地局としての動作を停止する。上記ハンドオーバは、基地局２００からの停止の要求に応じて行われてもよく、基地局２００からの別の要求（例えば、ハンドオーバの要求）に応じて行われてもよい。
【０２５２】
（ｃ−２）停止の条件
上記停止制御の条件についての説明は、符号及び主体などの相違を除き、第１の実施形態と第２の実施形態との間に差異はない。よって、ここでは重複する記載を省略する。
【０２５３】
以上、第２の実施形態を説明した。第２の実施形態によれば、基地局２００は、移動局及び基地局として動作可能な１つ以上の無線通信装置３０の各々についての測定情報又は位置関連情報に基づいて、上記１つ以上の無線通信装置３０のうちの、基地局として動作させる無線通信装置３０を選択する。これにより、例えば、セルにおけるトラフィクのオフロードを柔軟に行うことが可能になる。
【０２５４】
＜＜３．応用例＞＞
本開示に係る技術は、様々な製品へ応用可能である。例えば、制御エンティティ１００は、タワーサーバ、ラックサーバ、又はブレードサーバなどのいずれかの種類のサーバとして実現されてもよい。また、制御エンティティ１００の少なくとも一部の構成要素は、サーバに搭載されるモジュール（例えば、１つのダイで構成される集積回路モジュール、又はブレードサーバのスロットに挿入されるカード若しくはブレード）において実現されてもよい。
【０２５５】
また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。さらに、基地局２００の少なくとも一部の構成要素は、基地局装置又は基地局装置のためのモジュールにおいて実現されてもよい。
【０２５６】
＜３．１．制御エンティティに関する応用例＞
図９は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０２５７】
プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０２５８】
ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０２５９】
バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０２６０】
図９に示したサーバ７００において、図２を参照して説明した処理部１３０に含まれる１つ以上の構成要素（第１取得部１３１、第１選択部１３２、第１制御部１３３、第２取得部１３５、第２選択部１３６及び／又は第２制御部１３７）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０２６１】
＜３．２．基地局に関する応用例＞
（第１の応用例）
図１０は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２６２】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１０に示したように複数のアンテナ８１０を有し、複数のアンテナ８１０は、例えばｅＮＢ８００が使用する複数の周波数帯域にそれぞれ対応してもよい。なお、図１０にはｅＮＢ８００が複数のアンテナ８１０を有する例を示したが、ｅＮＢ８００は単一のアンテナ８１０を有してもよい。
【０２６３】
基地局装置８２０は、コントローラ８２１、メモリ８２２、ネットワークインタフェース８２３及び無線通信インタフェース８２５を備える。
【０２６４】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２６５】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２６６】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２６７】
無線通信インタフェース８２５は、図１０に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１０に示したように複数のＲＦ回路８２７を含み、複数のＲＦ回路８２７は、例えば複数のアンテナ素子にそれぞれ対応してもよい。なお、図１０には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２６８】
図１０に示したｅＮＢ８００において、図７を参照して説明した処理部２５０に含まれる１つ以上の構成要素（第１制御部２５１、取得部２５３、選択部２５５及び／又は第２制御部２５７）は、コントローラ８２１において実装されてもよい。あるいは、これらの構成要素の少なくとも一部は、無線通信インタフェース８２５において実装されてもよい。一例として、ｅＮＢ８００は、コントローラ８２１、及び／又は無線通信インタフェース８２５の一部（例えば、ＢＢプロセッサ８２６）若しくは全部を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８００にインストールされ、コントローラ８２１及び／又は無線通信インタフェース８２５（例えば、ＢＢプロセッサ８２６）が当該プログラムを実行してもよい。以上のように、上記１つ以上の構成要素を備える装置としてｅＮＢ８００、基地局装置８２０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２６９】
また、図１０に示したｅＮＢ８００において、図７を参照して説明した無線通信部２２０は、無線通信インタフェース８２５（例えば、ＲＦ回路８２７）において実装されてもよい。また、アンテナ部２１０は、アンテナ８１０において実装されてもよい。また、ネットワーク通信部２３０は、コントローラ８２１及び／又はネットワークインタフェース８２３において実装されてもよい。
【０２７０】
（第２の応用例）
図１１は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２７１】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図１１に示したように複数のアンテナ８４０を有し、複数のアンテナ８４０は、例えばｅＮＢ８３０が使用する複数の周波数帯域にそれぞれ対応してもよい。なお、図１１にはｅＮＢ８３０が複数のアンテナ８４０を有する例を示したが、ｅＮＢ８３０は単一のアンテナ８４０を有してもよい。
【０２７２】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１０を参照して説明したコントローラ８２１、メモリ８２２及びネットワークインタフェース８２３と同様のものである。
【０２７３】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１０を参照して説明したＢＢプロセッサ８２６と同様のものである。無線通信インタフェース８５５は、図１１に示したように複数のＢＢプロセッサ８５６を含み、複数のＢＢプロセッサ８５６は、例えばｅＮＢ８３０が使用する複数の周波数帯域にそれぞれ対応してもよい。なお、図１１には無線通信インタフェース８５５が複数のＢＢプロセッサ８５６を含む例を示したが、無線通信インタフェース８５５は単一のＢＢプロセッサ８５６を含んでもよい。
【０２７４】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２７５】
また、ＲＲＨ８６０は、接続インタフェース８６１及び無線通信インタフェース８６３を備える。
【０２７６】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２７７】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図１１に示したように複数のＲＦ回路８６４を含み、複数のＲＦ回路８６４は、例えば複数のアンテナ素子にそれぞれ対応してもよい。なお、図１１には無線通信インタフェース８６３が複数のＲＦ回路８６４を含む例を示したが、無線通信インタフェース８６３は単一のＲＦ回路８６４を含んでもよい。
【０２７８】
図１１に示したｅＮＢ８３０において、図７を参照して説明した処理部２５０に含まれる１つ以上の構成要素（第１制御部２５１、取得部２５３、選択部２５５及び／又は第２制御部２５７）は、コントローラ８５１において実装されてもよい。あるいは、これらの構成要素の少なくとも一部は、無線通信インタフェース８５５及び／又は無線通信インタフェース８６３において実装されてもよい。一例として、ｅＮＢ８３０は、コントローラ８５１及び／又は無線通信インタフェース８５５の一部（例えば、ＢＢプロセッサ８５６）若しくは全部を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又はコントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２７９】
また、図１１に示したｅＮＢ８３０において、例えば、図７を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０２８０】
＜＜４．まとめ＞＞
ここまで、図１〜図１１を参照して、本開示の実施形態を説明した。本開示に係る実施形態によれば、制御エンティティ１００又は基地局２００は、移動局及び基地局として動作可能な１つ以上の無線通信装置３０の各々について、無線通信装置３０によるセルについての測定の結果を示す測定情報、又は無線通信装置３０の位置に関する位置関連情報を取得する取得部と、上記１つ以上の無線通信装置３０の各々についての上記測定情報又は上記位置関連情報に基づいて、上記１つ以上の無線通信装置３０のうちの、基地局として動作させる無線通信装置３０を選択する選択部と、を備える。これにより、例えば、セルにおけるトラフィクのオフロードを柔軟に行うことが可能になる。
【０２８１】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２８２】
例えば、主として、基地局及び無線通信装置がＬＴＥ、ＬＴＥ−Ａｄｖａｎｃｅｄ、又はこれらに準ずる通信規格に準拠する例を説明したが、本開示は係る例に限定されない。例えば、基地局及び無線通信装置は、他の通信規格に準拠してもよい。
【０２８３】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２８４】
また、本明細書の装置（例えば、制御エンティティ、若しくは制御エンティティのモジュール、又は、基地局、基地局装置、若しくは基地局装置のためのモジュール）に備えられるプロセッサ（例えば、ＣＰＵ、ＤＳＰなど）を上記装置の構成要素（例えば、処理部に含まれる１つ以上の構成要素）として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素の動作を含む方法も、本開示に係る技術に含まれる。
【０２８５】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２８６】
なお、以下のような構成も本開示の技術的範囲に属する。
（１）
移動局及び基地局として動作可能な１つ以上の無線通信装置の各々について、無線通信装置によるセルについての測定の結果を示す測定情報、又は無線通信装置の位置に関する位置関連情報を取得する取得部と、
前記１つ以上の無線通信装置の各々についての前記測定情報又は前記位置関連情報に基づいて、前記１つ以上の無線通信装置のうちの、基地局として動作させる無線通信装置を選択する選択部と、
を備える装置。
（２）
前記１つ以上の無線通信装置は、アイドル状態の無線通信装置である、前記（１）に記載の装置。
（３）
前記１つ以上の無線通信装置への要求であって、前記測定情報又は前記位置関連情報の報告の前記要求を制御する第１制御部、をさらに備える、前記（１）又は（２）に記載の装置。
（４）
前記要求は、マルチキャスト又はブロードキャストによる要求である、前記（３）に記載の装置。
（５）
前記第１制御部は、前記１つ以上の無線通信装置を含む無線通信装置への要求であって、前記測定情報又は前記位置関連情報の報告の前記要求を制御し、
前記報告は、報告条件を満たす無線通信装置により行われる報告であり、
前記１つ以上無線通信装置は、前記報告条件を満たす無線通信装置である、
前記（３）又は（４）に記載の装置。
（６）
前記１つ以上の無線通信装置、又は、選択される前記無線通信装置は、モビリティが低い無線通信装置である、前記（１）〜（５）のいずれか１項に記載の装置。
（７）
選択された前記無線通信装置を基地局として動作させるための制御を行う第２制御部、をさらに備える、前記（１）〜（６）のいずれか１項に記載の装置。
（８）
前記制御は、選択された前記無線通信装置に対する基地局としての動作の要求を制御することを含む、前記（７）に記載の装置。
（９）
前記制御は、選択された前記無線通信装置と移動局との間の無線通信のための制御情報を提供することを含む、前記（７）又は（８）に記載の装置。
（１０）
前記制御情報は、前記無線通信に使用可能な周波数帯域を示す情報を含む、前記（９）に記載の装置。
（１１）
前記制御情報は、前記無線通信のための最大送信電力を示す情報を含む、前記（９）又は（１０）に記載の装置。
（１２）
前記制御は、選択された前記無線通信装置と基地局との間の無線バックホールのための制御情報を提供することを含む、前記（７）〜（１１）のいずれか１項に記載の装置。
（１３）
前記制御情報は、前記基地局を示す情報を含む、前記（１２）に記載の装置。
（１４）
前記制御情報は、前記無線バックホールのために使用可能な周波数帯域を示す情報を含む、前記（１２）又は（１３）に記載の装置。
（１５）
前記制御は、選択された前記無線通信装置が接続すべきコアネットワークノードに関する情報を提供することを含む、前記（７）〜（１４）のいずれか１項に記載の装置。
（１６）
前記第２制御部は、選択された前記無線通信装置に基地局としての動作を停止させるための制御を行う、前記（７）〜（１５）のいずれか１項に記載の装置。
（１７）
選択された前記無線通信装置のセルを近隣セルリスト内に追加するように、選択された前記無線通信装置の周辺の基地局に要求する第２制御部、をさらに備える、前記（１）〜（１６）のいずれか１項に記載の装置。
（１８）
前記１つ以上の無線通信装置は、１つ以上の基地局の中から選択された基地局の通信エリア内に位置する無線通信装置であり、
前記セルは、選択された前記基地局のセルを含む、
前記（１）〜（１７）のいずれか１項に記載の装置。
（１９）
前記１つ以上の基地局の中から選択された前記基地局は、前記１つ以上の基地局の各々のトラフィックに関する情報に基づいて選択された基地局である、前記（１８）に記載の装置。
（２０）
移動局及び基地局として動作可能な１つ以上の無線通信装置の各々について、無線通信装置によるセルについての測定の結果を示す測定情報、又は無線通信装置の位置に関する位置関連情報を取得することと、
プロセッサにより、前記１つ以上の無線通信装置の各々についての前記測定情報又は前記位置関連情報に基づいて、前記１つ以上の無線通信装置のうちの、基地局として動作させる無線通信装置を選択することと、
を含む方法。
置。
（２１）
移動局及び基地局として動作可能な１つ以上の無線通信装置の各々について、無線通信装置によるセルについての測定の結果を示す測定情報、又は無線通信装置の位置に関する位置関連情報を取得することと、
前記１つ以上の無線通信装置の各々についての前記測定情報又は前記位置関連情報に基づいて、前記１つ以上の無線通信装置のうちの、基地局として動作させる無線通信装置を選択することと、
をプロセッサに実行させるためのプログラム。
（２２）
移動局及び基地局として動作可能な１つ以上の無線通信装置の各々について、無線通信装置によるセルについての測定の結果を示す測定情報、又は無線通信装置の位置に関する位置関連情報を取得することと、
前記１つ以上の無線通信装置の各々についての前記測定情報又は前記位置関連情報に基づいて、前記１つ以上の無線通信装置のうちの、基地局として動作させる無線通信装置を選択することと、
をプロセッサに実行させるためのプログラムを記録した読み取り可能な記録媒体。
【符号の説明】
【０２８７】
１、２    通信システム
２０      基地局
２１      セル
３０      無線通信装置
１００    制御エンティティ
１３１    第１取得部
１３２    第１選択部
１３３    第１制御部
１３５    第２取得部
１３６    第２選択部
１３７    第２制御部
２００    基地局
２５１    第１制御部
２５３    取得部
２５５    選択部
２５７    第２制御部
【図１】
0006519590.tif 000002
【図２】
0006519590.tif 000003
【図３】
0006519590.tif 000004
【図４】
0006519590.tif 000005
【図５】
0006519590.tif 000006
【図６】
0006519590.tif 000007
【図７】
0006519590.tif 000008
【図８】
0006519590.tif 000009
【図９】
0006519590.tif 000010
【図１０】
0006519590.tif 000011
【図１１】
0006519590.tif 000012